(57)【特許請求の範囲】
【請求項１】
ヒンジを介して枠に面材を回転可能に支持させた建具において、
前記枠は、前記面材の一方の表面よりも見込み方向に突出した複数の突出部を有し、
前記複数の突出部は、互いの間に間隔を確保して前記枠の長手方向に沿って設けられ、
前記枠の長手方向に沿って隣接する前記突出部の相互間には、前記枠の見付け寸法の範囲内であって、前記枠の見付け寸法を二等分する二等分面上、もしくは前記二等分面よりも前記枠の内周側に軸芯が位置するように前記ヒンジのヒンジピンが配設され、
前記ヒンジピンの軸芯から前記枠の２つの見込み面までの距離がいずれも前記ヒンジピンの軸芯から前記面材の見込み面までの距離よりも小さくなるように前記枠の見付け寸法が設定されていることを特徴とする建具。
【請求項２】
前記突出部の見付け面は、前記ヒンジピンの軸芯を中心とした円柱状の曲面を有することを特徴とする請求項１に記載の建具。
【請求項３】
前記面材の見込み面に弾性材を有するスペーサ部材を保持させたことを特徴とする請求項１に記載の建具。
【発明の詳細な説明】
【技術分野】
【０００１】
本発明は、ドア等のように、ヒンジを介して枠に面材を回転可能に支持させた建具に関するものである。
【背景技術】
【０００２】
ドアや開き窓等のようにヒンジを介して縦枠に面材が回転可能に支持された建具では、縦枠の見付け面よりも見込み方向に突出した位置に回転中心を設けることにより面材の開き角度を１８０°以上に設定することが可能となる（例えば、特許文献１参照）。
【０００３】
この種の建具では、面材の吊り元側に位置する見込み面と縦枠との隙間を小さく設定したとしても、面材が開くに従って吊り元側に位置する見込み面の両側縁部と縦枠との隙間がそれぞれ増大する。このため、増大した隙間に手指が挿入された状態で面材が閉じられた場合には、手指が挟まる事態が発生し得る。
【０００４】
一方、ヒンジを介して縦枠に面材を支持させた建具としては、回転中心が面材の断面内に位置するようにヒンジを設けたものも提供されている。この種の建具によれば、面材を開く際に縦枠との隙間が増大しないように設定することができるため、上述の問題を解決することができる（例えば、特許文献２または特許文献３参照）。
【先行技術文献】
【特許文献】
【０００５】
【特許文献１】実開昭６３−１３２０８４号公報
【特許文献２】特開２００７−９２４２５号公報
【特許文献３】特開２０１２−１２７１６９号公報
【発明の概要】
【発明が解決しようとする課題】
【０００６】
しかしながら、面材の断面内に回転中心が設定された建具では、９０°を超えて開いた場合に面材の見付け面が縦枠の見込み面に当接するため、それ以上に開くことができない。
【０００７】
本発明は、上記実情に鑑みて、面材の開き角度に制限を加えることなく手指が挟まる事態を防止することのできる建具を提供することを目的とする。
【課題を解決するための手段】
【０００８】
上記目的を達成するため、本発明に係る建具は、ヒンジを介して枠に面材を回転可能に支持させた建具において、前記枠は、前記面材の一方の表面よりも見込み方向に突出した複数の突出部を有し、前記複数の突出部は、互いの間に間隔を確保して前記枠の長手方向に沿って設けられ、前記枠の長手方向に沿って隣接する前記突出部の相互間には、前記枠の見付け寸法の範囲内であって、前記枠の見付け寸法を二等分する二等分面上、もしくは前記二等分面よりも前記枠の内周側に軸芯が位置するように前記ヒンジのヒンジピンが配設され、前記ヒンジピンの軸芯から前記枠の２つの見込み面までの距離がいずれも前記ヒンジピンの軸芯から前記面材の見込み面までの距離よりも小さくなるように前記枠の見付け寸法が設定されていることを特徴とする。
【０００９】
この発明によれば、面材の回転中心となるヒンジピンの軸芯が面材の一方の表面よりも突出し、かつ枠の見付け寸法の範囲内に位置するように枠にヒンジが設けられるため、９０°を超えて面材を開閉することができる。しかも、ヒンジピンの軸芯に対して突出部の見付け面が面材の一方の表面よりも見込み方向に突出するため、面材が開いた場合にも吊り元側に位置する見込み面の一方の縁部については突出部との隙間が大きくならないように設定することが可能であり、手指が挟まる事態を防止することができる。
【００１１】
この発明によれば、ヒンジピンの軸芯から枠の２つの見込み面までの距離がいずれもヒンジピンの軸芯から面材の見込み面までの距離よりも小さくなるように枠の見付け寸法を設定しているため、枠に当接することなく面材を１８０°開くことができる。しかも、枠の見付け寸法を二等分する二等分面上、もしくは二等分面よりも枠の内周側となる位置にヒンジピンの軸芯を設定しているため、面材が開いた場合にも吊り元側に位置する見込み面の一方の縁部については枠との隙間が増大することがない。従って、面材を開いた際に枠と面材の吊り元側に位置する見込み面の一方の縁部との間に手指が挿入される機会自体が減少することになり、手指が挟まる事態を防止することができる。
【００１２】
また本発明は、上述した建具において、前記突出部の見付け面は、前記ヒンジピンの軸芯を中心とした円柱状の曲面を有することを特徴とする。
【００１３】
この発明によれば、面材の吊り元側に位置する見込み面の一方の縁部と枠との隙間を一定に保った状態で面材を開閉させることができる。
【００１４】
また本発明は、上述した建具において、前記面材の見込み面に弾性材を有するスペーサ部材を保持させたことを特徴とする。
【００１５】
この発明によれば、面材の見込み面に弾性材を有するスペーサ部材を保持させているため、意匠性を損なうことなく、面材を開いた状態から閉じた場合に枠の見込み面と面材との間に手指が挟まれる事態を招来することがない。
【発明の効果】
【００１６】
本発明によれば、面材の回転中心となるヒンジピンの軸芯が面材の一方の表面よりも突出した位置となるように枠にヒンジを設けているため、９０°を超えて面材を開閉することができる。しかも、ヒンジピンの軸芯に対して突出部の見付け面が面材の一方の表面よりも突出しているため、面材が開いた場合にも吊り元側に位置する見込み面の一方の縁部については突出部との隙間が大きくならないように設定することが可能であり、手指が挟まる事態を防止することができる。
【図面の簡単な説明】
【００１７】
【図１】図１は、本発明の実施の形態である建具を示したもので、居室と廊下との間を仕切る壁に設けられた建具を居室側から見た図である。
【図２】図２は、図１に示した建具の横断面図である。
【図３】図３は、図１に示した建具の要部を示す横断面図である。
【図４】図４は、図１に示した建具に適用する面材の要部を示したもので、（ａ）はパネル本体に補強金具を取り付ける以前の状態を示す分解横断面図、（ｂ）はヒンジプレートを取り付ける以前の状態を示す分解横断面図、（ｃ）はスペーサ部材を取り付ける以前の状態を示す分解横断面図、（ｄ）はスペーサ部材を取り付けた状態の横断面図である。
【図５】図５は、図１に示した建具に適用するスペーサ部材を拡大して示す図である。
【図６】図６は、図１に示した建具に適用する面材の要部を示したもので、（ａ）はパネル本体の下端部を示す縦断面図、（ｂ）はパネル本体の下端部にアンダカバーを装着した状態の縦断面図、（ｃ）はパネル本体の下端部にアンダカバーを装着した状態の図である。
【図７】図７は、図１に示した建具の要部を示すもので、（ａ）は縦枠にヒンジピンを取り付ける以前の状態を示す分解斜視図、（ｂ）は面材にヒンジプレートを取り付ける以前の状態を示す分解斜視図である。
【図８】図８は、図１に示した建具の要部を示すもので、（ａ）は縦枠のヒンジピンに面材のヒンジプレートを嵌合させる以前の状態を示す分解斜視図、（ｂ）は縦枠のヒンジピンに面材のヒンジプレートを嵌合させた後、キャップ部材を装着する以前の状態を示す分解斜視図である。
【図９】図９は、図１に示した建具の要部を示すもので、（ａ）は廊下側から見た斜視図、（ｂ）は居室側から見た斜視図である。
【図１０】図１０は、面材と枠との隙間が面材の回転中心に応じて変化する状態を示すもので、（ａ）は面材の回転中心が枠の見付け寸法を二等分する二等分面よりも枠の内周側となる部位に配置された建具の要部横断面図、（ｂ）は面材の回転中心が枠の見付け寸法を二等分する二等分面上に配置された建具の要部横断面図、（ｃ）は面材の回転中心が枠の見付け寸法を二等分する二等分面よりも枠の外周側となる部位に配置された建具の要部横断面図である。
【発明を実施するための形態】
【００１８】
以下、添付図面を参照しながら本発明に係る建具の好適な実施の形態について詳細に説明する。
【００１９】
図１及び図２は、本発明の実施の形態である建具を示したものである。ここで例示する建具は、居室と廊下との間を仕切る屋内の壁Ｗに設けられ、居室側に押し開かれるドアである。この建具は、枠体１０及び面材２０を備えている。枠体１０は、左右の縦枠１１，１２、上枠１３及び下枠１４を四周枠組みすることによって構成したものである。縦枠１１，１２、上枠１３及び下枠１４は、アルミニウム合金や樹脂によって成形した押し出し形材であり、全長にわたってほぼ一様な断面を有するように構成してある。本実施の形態では、特に、居室に臨む見付け面１１ａ，１２ａが鉛直方向に沿った軸芯を中心とする円柱状の曲面を有し、かつ２つの見込み面１１ｂ，１２ｂが互いにほぼ平行となるように延在した縦枠１１，１２を適用している。円柱状の曲面となる見付け面１１ａ，１２ａは、図３に示すように、縦枠１１，１２の見付け寸法ＭＳを二等分する鉛直方向に沿った二等分面Ｖよりも枠体１０の内周側に軸芯Ｃを有するものである。
【００２０】
面材２０は、図４及び図６に示すように、木製のパネルを組み合わせることによって構成したパネル本体２１と、パネル本体２１の吊り元となる部分の全長に取り付けた補強金具２２及びスペーサ部材２３と、パネル本体２１の下面の全長に設けたアンダカバー２４とを備えている。パネル本体２１としては、必ずしも木製のものに限らず、その他の材質から成るものを適用してももちろん良い。
【００２１】
補強金具２２は、アルミニウム合金等の金属によって成形した押し出し形材であり、図４の（ａ）に示すように、取付基板部２２１及びカバー部２２２を一体に成形してある。取付基板部２２１は、パネル本体２１の見込み面２１ａを覆う板状部分であり、一方の縁部に第一の係合片部２２３及びフック受部２２４を有するとともに、他方の縁部に第二の係合片部２２５を有している。第一の係合片部２２３は、取付基板部２２１の縁部を一方の表面側に向けて屈曲することにより構成してある。フック受部２２４は、後述するスペーサ部材２３を係合するためのもので、取付基板部２２１の縁部を他方の表面側に向けて屈曲することにより構成してある。フック受部２２４の屈曲端部は、取付基板部２２１の他方の縁部に向けてほぼ直角に屈曲している。第二の係合片部２２５は、取付基板部２２１から第一の係合片部２２３と同じ方向に向けて屈曲した後、第一の係合片部２２３から離隔する方向に向けてさらに屈曲することにより構成してある。カバー部２２２は、第二の係合片部２２５の屈曲端部から取付基板部２２１の他方の表面側に向けて屈曲した部分である。カバー部２２２の延在端部は、取付基板部２２１の一方の縁部に向けて湾曲した後、取付基板部２２１に向けてほぼ直角に屈曲している。
【００２２】
この補強金具２２をパネル本体２１に取り付けるには、まず、パネル本体２１の吊り元側に位置する見込み面２１ａの両側縁部にそれぞれ切削工具によって係合溝２１Ａを形成する。その後、パネル本体２１の係合溝２１Ａに第一の係合片部２２３及び第二の係合片部２２５を配置し、この状態から、図４の（ｂ）に示すように、第一の係合片部２２３をローラプレスＲＰによって第二の係合片部２２５に近接する向きにかしめれば、補強金具２２がパネル本体２１に装着された状態に維持される。パネル本体２１に取り付けた補強金具２２のカバー部２２２は、パネル本体２１の一方の表面２１ｂに沿うように延在し、面材２０の居室に臨む見付け面の一部を構成している。
【００２３】
スペーサ部材２３は、図４の（ｃ）、図４の（ｄ）及び図５に示すように、補強金具２２の取付基板部２２１に対向する見込み壁部２３１と、見込み壁部２３１の一端部からほぼ直角となるように延在した見付け壁部２３２とを有したものである。このスペーサ部材２３には、見込み壁部２３１に係止片部２３３及び遮光片部２３４が設けてあり、見付け壁部２３２の延在端部に溝カバー部２３５及びフック部２３６が設けてある。
【００２４】
係止片部２３３は、見込み壁部２３１の延在縁部から見付け壁部２３２に対向するように屈曲した部分である。係止片部２３３の外表面には、係止片部２３３の先端側に向けて漸次突出量が小さくなるように傾斜した爪突起２３３ａが設けてある。遮光片部２３４は、見込み壁部２３１の外表面において見付け壁部２３２との連結部に近接した部分（見込み壁部２３１において廊下側寄りとなる部分）から湾曲状に突出したヒレ状部分である。溝カバー部２３５は、見付け壁部２３２の延在端部から溝カバー部２３５に沿って延在した後、見込み壁部２３１に対向する方向に向けてほぼ直角に屈曲したものである。この溝カバー部２３５において屈曲した部分の寸法は、パネル本体２１に形成した係合溝２１Ａの底面に対応する長さに形成してある。フック部２３６は、見付け壁部２３２において係止片部２３３に対向する内表面から突出した後、見込み壁部２３１から離隔する方向に屈曲し、さらに係止片部２３３から離隔する方向に屈曲したものである。このフック部２３６は、見込み壁部２３１の溝カバー部２３５を係合溝２１Ａの底面に当接させた場合に、補強金具２２のフック受部２２４に係合することのできる位置に設けてある。
【００２５】
図５に示すように、このスペーサ部材２３は、硬質樹脂と軟質樹脂との二色成形によって上述の各部が一体となるように成形してある。より具体的には、見込み壁部２３１、見付け壁部２３２及び遮光片部２３４が軟質の弾性樹脂によって成形してあるとともに、係止片部２３３、溝カバー部２３５及びフック部２３６が比較的硬質の樹脂によって成形してある。また、見込み壁部２３１及び見付け壁部２３２の外周側となる表面には、係止片部２３３及び溝カバー部２３５に連続するように薄肉の被覆層２３７が設けてある。被覆層２３７については、薄肉であるため、見込み壁部２３１及び見付け壁部２３２とともに弾性変形することが可能である。
【００２６】
このスペーサ部材２３は、図４の（ｄ）に示すように、フック部２３６を補強金具２２のフック受部２２４に係合させるとともに、係止片部２３３の爪突起２３３ａを補強金具２２のカバー部２２２において直角に屈曲した延在端部に係合させることにより、補強金具２２を介してパネル本体２１に装着してある。スペーサ部材２３において補強金具２２に係合する部分は、いずれも硬質の樹脂によって成形してあるため、外力が加えられた場合にも容易に脱落するおそれはない。また、外表面のすべてが硬質樹脂によって覆われているため、コーティングを施すことが可能である。従って、軟質樹脂が露出するものに比べて汚れに強いばかりでなく、木製のパネル本体２１との色合わせも容易に行うことが可能である。なお、具体的な例を示せば、本実施の形態の場合、パネル本体２１の見込み面２１ａから見込み壁部２３１までの距離が約１０ｍｍとなるように構成したスペーサ部材２３を適用している。
【００２７】
アンダカバー２４は、図６の（ａ）及び図６（ｂ）に示すように、パネル本体２１の下面に形成した装着溝２１Ｂを介してパネル本体２１の下面両縁部に取り付けられるもので、それぞれ圧入基部２４１及びクッション部２４２を有している。圧入基部２４１は、パネル本体２１の装着溝２１Ｂに圧入される中実部分である。クッション部２４２は、圧入基部２４１をパネル本体２１の装着溝２１Ｂに圧入した場合に装着溝２１Ｂから両側表面にわたる部分の下面を覆うもので、中空のチューブ状に構成してある。このアンダカバー２４は、スペーサ部材２３の遮光片部２３４と同様の弾性材によって一体に成形したものである。
【００２８】
図２に示すように、上記のように構成した面材２０と、吊り元となる一方の縦枠（以下、吊り元枠１２という）との間には、ヒンジ３０が構成してある。ヒンジ３０は、吊り元枠１２に対して面材２０を鉛直方向に沿った軸芯を回転中心として回転可能に支持させるもので、ヒンジピン３１０及びヒンジアーム３２０を備えている。図１に示すように、本実施の形態では、面材２０と吊り元枠１２との間の上下２カ所に同一の構成を有したヒンジ３０が設けてある。なお、ヒンジ３０は必ずしも２カ所である必要はなく、３カ所以上に設けるようにしても良い。
【００２９】
ヒンジピン３１０は、図７の（ａ）に示すように、一方の端部が尖端となるように構成した摺動軸部３１１と、摺動軸部３１１の他端部に設けた太径の取付柱状部３１２とを有している。摺動軸部３１１と取付柱状部３１２との間には、取付柱状部３１２よりも外径の大きなフランジプレート３１３が設けてある。このヒンジピン３１０は、吊り元枠１２に設けた切欠１２ｃを介して取付柱状部３１２を吊り元枠１２の内部に嵌合させることにより、摺動軸部３１１が上方に向いた状態で吊り元枠１２に取り付けられる。吊り元枠１２に取り付けた摺動軸部３１１の軸芯は、図２に示すように、吊り元枠１２の見付け面１２ａを構成する円柱の軸芯に合致している。すなわち、ヒンジピン３１０は、図３に示すように、吊り元枠１２の見付け寸法ＭＳを二等分する鉛直方向に沿った二等分面Ｖよりも枠体１０の内周側に軸芯を有するように吊り元枠１２の見付け寸法の範囲内に取り付けられることになる。図８の（ａ）に示すように、吊り元枠１２の切欠１２ｃは、ヒンジピン３１０における摺動軸部３１１の軸方向に沿った寸法よりも大きな寸法に形成してあり、ヒンジピン３１０における摺動軸部３１１の尖端よりも上方に、後述するヒンジアーム３２０の摺動ガイド部３２１を挿入することのできる隙間が確保してある。なお、本実施の形態では、鋼材等の金属によって摺動軸部３１１、取付柱状部３１２及びフランジプレート３１３を一体に成形したヒンジピン３１０を適用している。
【００３０】
ヒンジアーム３２０は、図７の（ｂ）に示すように、円筒状を成す摺動ガイド部３２１と、摺動ガイド部３２１から接線方向に延在した旋回アーム板部３２２と、旋回アーム板部３２２の延在端部から略直角方向に屈曲した取付板部３２３とを有したもので、鋼材等の金属によって成形してある。摺動ガイド部３２１は、筒内部にヒンジピン３１０の摺動軸部３１１を摺動可能に嵌合させることのできる寸法に形成してある。旋回アーム板部３２２は、取付板部３２３を補強金具２２の取付基板部２２１に当接させた場合にスペーサ部材２３の見込み壁部２３１及び補強金具２２のカバー部２２２を超えて外部に突出する寸法を有している。より具体的に説明すると、旋回アーム板部３２２は、摺動ガイド部３２１の軸芯からスペーサ部材２３の見込み壁部２３１までの距離が、摺動軸部３１１の軸芯から吊り元枠１２の２つの見込み面１２ａまでの距離のいずれよりも大きくなるように設定してある。換言すれば、摺動軸部３１１の軸芯から吊り元枠１２の２つの見込み面１２ａまでの距離が、いずれも摺動ガイド部３２１の軸芯から面材２０の見込み面２０ａまでの距離よりも小さくなるように吊り元枠１２の見付け寸法ＭＳが設定してある。本実施の形態では、図３中の実線で示すように、面材２０を閉じた状態において吊り元枠１２の見込み面１２ａと面材２０の見込み面２０ａとの間に手指を挿入することが困難な隙間Ａ、例えば約５ｍｍの隙間を確保することができるように、摺動軸部３１１の軸芯から吊り元枠１２の内周側見込み面１２ａまでの距離に対して、摺動ガイド部３２１の軸芯からスペーサ部材２３の見込み壁部２３１までの距離が約５ｍｍだけ長くなるように設定してある。
【００３１】
このヒンジアーム３２０は、図４の（ｃ）に示すように、スペーサ部材２３を取り外した状態で取付板部３２３を補強金具２２の取付基板部２２１に重ね合わせ、この状態から取付板部３２３及び取付基板部２２１を介してパネル本体２１にネジＳを螺合することにより面材２０に取り付けてある。面材２０に取り付けたヒンジアーム３２０は、図３に示すように、旋回アーム板部３２２の一部が面材２０の見込み面２０ａにおいて居室側に偏った位置からカバー部２２２を超えて突出し、かつ摺動ガイド部３２１の軸芯が面材２０の居室に臨む見付け面よりも突出した位置に配置された状態となる。
【００３２】
この面材２０を吊り元枠１２に支持させるには、図８の（ｂ）に示すように、ヒンジピン３１０の摺動軸部３１１にヒンジアーム３２０の摺動ガイド部３２１を嵌合させ、その後、摺動軸部３１１の上方域にキャップ部材４０を装着することにより、吊り元枠１２に対する面材２０の上方への移動を規制すれば良い。この状態においては、図９に示すように、吊り元枠１２に対して面材２０が摺動軸部３１１の軸芯を中心として回転可能に支持されることになる。また、吊り元枠１２において居室に臨む部分には、ヒンジ３０を取り付けるために設けた切欠１２ｃの相互間、最も上方の切欠１２ｃよりも上方となる部分、最も下方の切欠１２ｃよりも下方となる部分が、それぞれ居室側に突出した状態にあり、閉じた状態の面材２０の居室に臨む表面２０ｂよりも見込み方向に突出した複数の突出部１２Ａが構成されている。
【００３３】
上述したように、この建具では、図３に示すように、摺動軸部３１１の軸芯が吊り元枠１２の見付け寸法の範囲内に位置され、かつ摺動軸部３１１の軸芯から吊り元枠１２の２つの見込み面１２ａまでの距離がいずれも摺動軸部３１１の軸芯からスペーサ部材２３の見込み壁部２３１までの距離よりも小さくなるように吊り元枠１２の見付け寸法ＭＳを設定している。さらに、吊り元枠１２においてヒンジ３０の上下となる部分に配置される突出部１２Ａの見付け面１２ａは、摺動軸部３１１の軸芯を中心とし、かつ面材２０の居室に臨む表面２０ｂよりも見込み方向に突出した円柱状の曲面を有している。従って、吊り元枠１２に当接することなく１８０°の範囲に面材２０を回転させることが可能となる。
【００３４】
しかも、吊り元枠１２の見付け寸法ＭＳを二等分する二等分面Ｖよりも枠体１０の内周側となる見付け寸法の範囲内に摺動軸部３１１の軸芯を設定しているため、摺動軸部３１１の軸芯を中心として面材２０が開いた場合、面材２０の吊り元側に位置する見込み面２０ａおいて居室に臨む縁部２０Ｒ（以下、単に「吊り元縁部２０Ｒ」という）については吊り元枠１２の見付け面１２ａとの隙間が漸次減少することになる。従って、面材２０を開閉する際に吊り元枠１２と面材２０の吊り元縁部２０Ｒとの間に手指を挿入することが困難となり、手指が挟まる事態を招来するおそれがない。
【００３５】
一方、面材２０の見込み面２０ａと吊り元枠１２の見込み面１２ａとの間においては、面材２０を開くに従って隙間が増大するようになる。しかしながら、上述の建具では、面材２０を閉じた状態においてパネル本体２１の見込み面２１ａが吊り元枠１２の見込み面１２ａから手指が挟まり得ない位置（本実施の形態ではパネル本体２１の見込み面２１ａが吊り元枠１２の見込み面１２ａから距離Ｂ＝約１５．５ｍｍ離れた位置）までしか無く、パネル本体２１の見込み面２１ａから吊り元枠１２の見込み面１２ａまでの隙間がカバー部２２２によって覆ってある。従って、面材２０の見込み面２１ａと吊り元枠１２の見込み面１２ａとの間に手指が挿入された状態で面材２０を閉じた場合にも、手指が怪我するおそれがない。
【００３６】
しかも、外観に空間として現れる吊り元枠１２と面材２０との間の隙間Ａには、面材２０に設けたスペーサ部材２３の遮光片部２３４が吊り元枠１２の見込み面１２ａに当接するように介在するため、居室と廊下との間で明かりが漏れたり、居室と廊下とで空気が流通する事態を招来することもない。
【００３７】
なお、上述した実施の形態では、居室と廊下との間を仕切る壁Ｗに設けられたドアを例示しているが、ヒンジ３０を介して枠に面材２０を回転可能に支持させたものであれば、その他のドアや開き窓にも同様に適用することが可能である。この場合、面材２０の回転中心は必ずしも鉛直方向に沿っている必要はなく、例えば面材２０の回転中心が水平方向に沿って延在するものであっても良い。
【００３８】
また、上述した実施の形態では、吊り元枠１２の見付け寸法ＭＳを二等分する二等分面Ｖよりも枠体１０の内周側に軸芯を有するようにヒンジ３０を設けているが、本発明は、図１０に示すように、枠１２の見付け寸法ＭＳを二等分する二等分面Ｖを含み、かつ枠１２の内周側となる見付け寸法の範囲内に面材２０の回転中心が位置すれば、その他の箇所にヒンジ３０を設けても良い。
【００３９】
すなわち、図１０の（ａ）に示すように、実施の形態と同様、枠１２の見付け寸法ＭＳを二等分する二等分面Ｖよりも枠体１０の内周側に回転中心Ｃが位置するようにヒンジ３０を設けた場合には、面材２０を１８０°開くと吊り元縁部２０Ｒと枠１２との隙間が減少することになる。また、図１０の（ｂ）に示すように、枠１２の見付け寸法ＭＳを二等分する二等分面Ｖ上に回転中心Ｃ′が位置するようにヒンジ３０を設けた場合には、面材２０を１８０°開いても吊り元縁部２０Ｒと枠１２との隙間が同じとなる。これに対して図１０の（ｃ）に示すように、枠１２の見付け寸法ＭＳを二等分する二等分面Ｖよりも枠体１０の外周側に回転中心Ｃ″が位置するようにヒンジ３０を設けた場合には、面材２０を１８０°開くと吊り元縁部２０Ｒと枠１２との隙間が増大することになる。このため、面材２０が閉じた状態で枠１２との隙間を小さく設定したとしても、面材２０が開いた場合に手指の挿入が可能となり、そのまま面材２０を閉じた場合に手指が挟まれる事態を招来し得る。従って、図１０の（ａ）もしくは図１０の（ｂ）を満たすように枠１２にヒンジ３０を設ければ、手指が挟まる事態を招来することがない。なお、図１０において実施の形態と同様の構成については同一の符号が付してある。
【００４０】
さらに、上述した実施の形態では、枠１２にヒンジピン３１０を設ける一方、面材２０に摺動ガイド部３２１を設けるようにしているが、上述の条件を満たすのであれば、枠１２に摺動ガイド部３２１を設ける一方、面材２０にヒンジピン３１０を設けるようにしてももちろん良い。
【００４１】
またさらに、上述した実施の形態では、パネル本体２１の下面に弾性材から成るアンダカバー２４を装着するようにしているため、仮に面材２０の下面が足指に衝突したとしても、足指が痛むことがない。しかしながら、本発明ではアンダカバーは必ずしも必要ではない。
【００４２】
なお、実施の形態で記載した値はあくまでも例示のためであって本願発明を何ら限定するものではなく、その他の値をとるように構成してももちろん良い。
【符号の説明】
【００４３】
１２  吊り元枠、１２Ａ  突出部、１２ａ  見付け面、２０  面材、２０ｂ  面材の表面、２０Ｒ  吊り元縁部、２３  スペーサ部材、３０  ヒンジ、Ａ  隙間、Ｃ  回転中心、ＭＳ  枠の見付け寸法、Ｖ  二等分面、Ｗ  壁
【図１】
0006662598.tif 000002
【図２】
0006662598.tif 000003
【図３】
0006662598.tif 000004
【図４】
0006662598.tif 000005
【図５】
0006662598.tif 000006
【図６】
0006662598.tif 000007
【図７】
0006662598.tif 000008
【図８】
0006662598.tif 000009
【図９】
0006662598.tif 000010
【図１０】
0006662598.tif 000011